(57)【要約】【課題】ユーザの髪を整えたり様々な髪型を作ったりすることができる上、ユーザの頭部から簡便に取り外すことができる整髪器を提供する。【解決手段】整髪器１０は、クリップ本体１２及び固定部材１４を備える。クリップ本体１２は、長手方向で互いに分離された第１の端部１６及び第２の端部１８と、第１の端部１６と第２の端部１８との間に設けられた第１のアーム２０及び第２のアーム２２とを有する。第１の端部１６及び第２の端部１８の内側には、結合空間２４がそれぞれ画成される。第１のアーム２０と第２のアーム２２とが分離され、長手方向で延伸する。第１のアーム２０と第２のアーム２２との間には、ユーザの髪を通すためのヘアクリップ空間２６が画成される。第１の端部１６及び第２の端部１８の内側に設けられた結合空間２４は、ヘアクリップ空間２６の両端が外側に広げられて形成される。【選択図】図１
0003176640.tif 000002
【実用新案登録請求の範囲】
【請求項１】
クリップ本体及び固定部材を備え、ユーザの髪を整える整髪器であって、
前記クリップ本体は、長手方向で互いに分離された第１の端部及び第２の端部と、前記第１の端部と前記第２の端部との間に設けられた第１のアーム及び第２のアームと、を有し、前記第１の端部及び前記第２の端部の内側には、結合空間がそれぞれ画成され、前記第１のアームと前記第２のアームとが分離され、長手方向で延伸し、前記第１のアームと前記第２のアームとの間には、ユーザの髪を通すためのヘアクリップ空間が画成され、前記第１の端部及び前記第２の端部の内側に設けられた前記結合空間は、前記ヘアクリップ空間の両端が外側に広げられて形成され、
前記固定部材は、係合部及び結合部を有し、前記係合部は、前記クリップ本体の前記第１の端部と接続され、前記結合部は、前記係合部の端部に延設され、前記クリップ本体の前記第２の端部の前記結合空間内に、前記固定部材の前記結合部を挿入して結合し、前記クリップ本体をユーザの髪に固定させることを特徴とする整髪器。
【請求項２】
前記係合部は、内部にスロットが設けられ、前記第１の端部の前記結合空間に貫設させて前記クリップ本体の前記第１の端部に係合し、
前記結合部は角錐状であり、
前記固定部材の長手方向の長さは、前記クリップ本体の長手方向の長さに略等しいことを特徴とする請求項１に記載の整髪器。
【請求項３】
前記クリップ本体及び前記固定部材は、可撓性材料からなり、
前記ヘアクリップ空間の中央に設けられた隙間は、前記ヘアクリップ空間の両端に設けられた隙間より大きく、
前記第１の端部及び前記第２の端部の内側に設けられた前記結合空間は、前記ヘアクリップ空間と連通してＣ字状に形成されることを特徴とする請求項２に記載の整髪器。
【請求項４】
前記係合部は、互いに分離した第１のセクション及び第２のセクションを含み、
前記第１のセクションの第１の端部と前記第２のセクションの第１の端部とが結合されて一体化され、
前記第１のセクションの第２の端部と前記第２のセクションの第２の端部とが着脱自在であることを特徴とする請求項３に記載の整髪器。
【請求項５】
前記結合部は、前記係合部の前記第１のセクションの第２の端部に延設され、
前記第１のセクションの前記第２の端部上には、バンプが設けられ、
前記第２のセクションの前記第２の端部には、前記バンプを挿入して結合するために用いる貫通孔が設けられていることを特徴とする請求項４に記載の整髪器。
【考案の詳細な説明】
【技術分野】
【０００１】
本考案は、整髪器に関し、特に、ユーザの髪を整えて所望の髪型を作ったり保持したりすることができる整髪器に関する。
【背景技術】
【０００２】
整髪器とは、髪型を作るために用いる道具である。従来の整髪器は、クリップ本体と、クリップ本体の両端に設けられた固定部材（例えば、フック）と、を含む。クリップ内部には、ユーザの髪の一部（例えばポニーテール）を通すための開放空間が設けられている。ユーザの髪をクリップに通した後、上方に巻いて団子状（即ち、シニュン）に作った後、クリップを曲げてリング状に形成することにより、クリップ両端の固定部材を互いに結合して髪型を固定する。しかし、従来の整髪器のクリップでは、ユーザの髪を強く束ねることができない上、クリップを曲げてリング状に形成したり、リング状のクリップを平坦状に戻したりすることは容易でなかった。また、クリップの両端に設けた固定部材を互いに結合させて髪型を固定する構造であるため、ユーザの頭部から整髪器を取り外すことは容易でない。
【先行技術文献】
【特許文献】
【０００３】
【特許文献１】なし
【考案の概要】
【考案が解決しようとする課題】
【０００４】
本考案の主な目的は、ユーザの髪を整えたり様々な髪型を作ったりすることができる上、ユーザの頭部から簡便に取り外すことができる整髪器を提供することにある。
【課題を解決するための手段】
【０００５】
上記課題を解決するために、本考案の第１の形態によれば、クリップ本体及び固定部材を備え、ユーザの髪を整える整髪器であって、前記クリップ本体は、長手方向で互いに分離された第１の端部及び第２の端部と、前記第１の端部と前記第２の端部との間に設けられた第１のアーム及び第２のアームと、を有し、前記第１の端部及び前記第２の端部の内側には、結合空間がそれぞれ画成され、前記第１のアームと前記第２のアームとが分離され、長手方向で延伸し、前記第１のアームと前記第２のアームとの間には、ユーザの髪を通すためのヘアクリップ空間が画成され、前記第１の端部及び前記第２の端部の内側に設けられた前記結合空間は、前記ヘアクリップ空間の両端が外側に広げられて形成され、前記固定部材は、係合部及び結合部を有し、前記係合部は、前記クリップ本体の前記第１の端部と接続され、前記結合部は、前記係合部の端部に延設され、前記クリップ本体の前記第２の端部の前記結合空間内に、前記固定部材の前記結合部を挿入して結合し、前記クリップ本体をユーザの髪に固定させることを特徴とする整髪器が提供される。
【０００６】
また、前記係合部は、内部にスロットが設けられ、前記第１の端部の前記結合空間に貫設させて前記クリップ本体の前記第１の端部に係合し、前記結合部は角錐状であり、前記固定部材の長手方向の長さは、前記クリップ本体の長手方向の長さに略等しいことが好ましい。
【０００７】
また、前記クリップ本体及び前記固定部材は、可撓性材料からなり、前記ヘアクリップ空間の中央に設けられた隙間は、前記ヘアクリップ空間の両端に設けられた隙間より大きく、前記第１の端部及び前記第２の端部の内側に設けられた前記結合空間は、前記ヘアクリップ空間と連通してＣ字状に形成されることが好ましい。
【０００８】
また、前記係合部は、互いに分離した第１のセクション及び第２のセクションを含み、前記第１のセクションの第１の端部と前記第２のセクションの第１の端部とが結合されて一体化され、前記第１のセクションの第２の端部と前記第２のセクションの第２の端部とが着脱自在であることが好ましい。
【０００９】
また、前記結合部は、前記係合部の前記第１のセクションの第２の端部に延設され、前記第１のセクションの前記第２の端部上には、バンプが設けられ、前記第２のセクションの前記第２の端部には、前記バンプを挿入して結合するために用いる貫通孔が設けられていることが好ましい。
【考案の効果】
【００１０】
本考案の整髪器は、ユーザの髪を整えたり様々な髪型を作ったりすることができる上、ユーザの頭部から簡便に取り外すことができるという効果を奏する。
【図面の簡単な説明】
【００１１】
【図１】本考案の一実施形態に係る整髪器を示す斜視図である。
【図２】本考案の一実施形態に係る整髪器を示す分解斜視図である。
【図３】図１の整髪器の固定部材の結合部をクリップ本体の第２の端部内に挿入して結合するときの状態を示す斜視図である。
【図４】図３の整髪器の固定部材の結合部を反対にしながらクリップ本体の第２の端部内に挿入して結合したときの状態を示す斜視図である。
【図５】図１の整髪器のクリップ本体のヘアクリップ空間を押し広げてそこにユーザの髪を通したときの状態を示す模式図である。
【図６】本考案の一実施形態に係る整髪器を外側から巻き上げるときの状態を示す模式図である。
【図７】図６の整髪器の固定部材をクリップ本体へ結合して髪型を固定したときの状態を示す模式図である。
【図８】図５の整髪器を内側から巻き上げるときの状態を示す模式図である。
【図９】図８の整髪器の固定部材をクリップ本体へ結合して髪型を固定するときの状態を示す模式図である。
【図１０】図１の整髪器を利用して他の髪形を作るときの状態を示す模式図である。
【考案を実施するための形態】
【００１２】
以下、本考案の実施形態について図に基づいて説明する。なお、これによって本考案が限定されるものではない。
【００１３】
図１〜図４を参照する。図１〜図４に示すように、本考案の一実施形態に係る整髪器１０は、ユーザの髪を整えたり様々な髪型（ｈａｉｒｄｏ）を作ったりするために用いる。この整髪器１０は、クリップ本体１２と、クリップ本体１２に結合された固定部材１４と、を含む。クリップ本体１２及び固定部材１４は、外力を加えて曲げて変形させることができるプラスチックなどの可撓性材料からなる。
【００１４】
クリップ本体１２は、長手方向で互いに分離された第１の端部１６及び第２の端部１８と、第１の端部１６と第２の端部１８との間に設けられた第１のアーム２０及び第２のアーム２２と、を含む。第１の端部１６及び第２の端部１８の内側には、Ｃ字状の結合空間２４がそれぞれ画成されている。第１のアーム２０と第２のアーム２２とは分離され、長手方向で延伸している。第１のアーム２０と第２のアーム２２との間には、ユーザの髪を通すためのヘアクリップ空間２６が画成されている。ヘアクリップ空間２６の中央に設けられた隙間は、ヘアクリップ空間２６の両端に設けられた隙間より大きい。第１の端部１６及び第２の端部１８の内側に設けられた結合空間２４は、ヘアクリップ空間２６の両端で外側に広げられるとヘアクリップ空間２６と連通する。
【００１５】
固定部材１４は、内部にスロット２８が設けられた係合部３０と、角錐状の結合部３２と、を含む。係合部３０は、第１の端部１６の結合空間２４に貫設させ、クリップ本体１２の第１の端部１６と係合させる。本実施形態の係合部３０は、互いに対応して分離した第１のセクション３４及び第２のセクション３６を含む。第１のセクション３４の第１の端部３８と第２のセクション３６の第１の端部４０とは、結合されて一体化され、第１のセクション３４の第２の端部４２と第２のセクション３６の第２の端部４４とは着脱自在である。具体的には、第１のセクション３４の第２の端部４２上には、バンプ４６が設けられている。第２のセクション３６の第２の端部４４上には、バンプ４６を挿入して結合するために用いる貫通孔４８が設けられている。第１のセクション３４の第２の端部４２と第２のセクション３６の第２の端部４４とが分離されると、第１のセクション３４の第２の端部４２と第２のセクション３６の第２の端部４４との間に開口５０が形成され（図２参照）、係合部３０の第２のセクション３６を、開口５０を介して第１の端部１６の結合空間２４に通す。一方、第１のセクション３４のバンプ４６と、第２のセクション３６の貫通孔４８とを結合してから開口５０を閉じ、係合部３０とクリップ本体１２の第１の端部１６とを係合させる（図１参照）。結合部３２は、係合部３０の端部により外側へ向けて延伸し、本実施形態の結合部３２は、係合部３０の第１のセクション３４の第２の端部４２から外側へ向けて延伸される。また、固定部材１４の長手方向の長さは、クリップ本体１２の長手方向の長さと略等しく、これにより固定部材１４の係合部３０とクリップ本体１２の第１の端部１６とが結合されるときに、固定部材１４の結合部３２がクリップ本体１２の第２の端部１８の結合空間２４内に挿入されて結合される（図３及び図４参照）。図４に示すように、固定部材１４の結合部３２は、曲げながらクリップ本体１２の第２の端部１８内に挿入して結合させる。これにより、固定部材１４を操作して結合することが容易となる。
【００１６】
本実施形態の整髪器１０は、クリップ本体１２の第１のアーム２０及び第２のアーム２２を外側へ引っ張ってヘアクリップ空間２６を拡張することにより、ユーザ５２の髪５４をヘアクリップ空間２６へ通してから（図５参照）、第１のアーム２０及び第２のアーム２２の伸張力をリリースすると、第１のアーム２０と第２のアーム２２とにより髪５４を強く束ねることができる。図６を参照する。図６に示すように、図５のクリップ本体１２を外側から巻き上げる。図７を参照する。図７に示すように、図６のクリップ本体１２により髪を巻き上げて団子状の髪型（即ち、シニョン）を作り、固定部材１４の結合部３２をクリップ本体１２の第２の端部１８内に挿入して結合することにより、クリップ本体１２を隠しながらユーザ５２の髪に固定させる。図８に示すように、図５のクリップ本体１２により髪を内側から巻き上げる。図９に示すように、図８のクリップ本体１２により髪を巻き上げるとショートヘアーの髪型を作ることができる。固定部材１４の結合部３２をクリップ本体１２の第２の端部１８内に挿入して結合し、ユーザ５２の髪にクリップ本体１２を固定させる。図１０に示すように、ユーザ５２の髪５４をヘアクリップ空間２６内に通してから固定部材１４の結合部３２をクリップ本体１２の第２の端部１８内に挿入して結合し、他の髪型を作ってもよい。
【００１７】
上述したことから分かるように、本考案の整髪器１０は、簡便に様々な髪型を作ったり保持したりすることができる。また、ユーザ５２が整髪器１０を取り外す際は、固定部材１４の結合部３２をクリップ本体１２の第２の端部１８から移動させるだけで良いため、簡便に使用することができる。
【００１８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１０：整髪器
１２：クリップ本体
１４：固定部材
１６：第１の端部
１８：第２の端部
２０：第１のアーム
２２：第２のアーム
２４：結合空間
２６：ヘアクリップ空間
２８：スロット
３０：係合部
３２：結合部
３４：第１のセクション
３６：第２のセクション
３８：第１の端部
４０：第１の端部
４２：第２の端部
４４：第２の端部
４６：バンプ
４８：貫通孔
５０：開口
５２：ユーザ
５４：髪
５６：シニョン
【図１】
0003176640.tif 000003
【図２】
0003176640.tif 000004
【図３】
0003176640.tif 000005
【図４】
0003176640.tif 000006
【図５】
0003176640.tif 000007
【図６】
0003176640.tif 000008
【図７】
0003176640.tif 000009
【図８】
0003176640.tif 000010
【図９】
0003176640.tif 000011
【図１０】
0003176640.tif 000012